(57)【要約】【課題】本発明は斧を使用せず、丸太の座りが良く、丸太が一度で複数の薪として得られると共に丸太が人力で楽に割れ、且つ刃の食込みが殆どない薪割り器を提供することを目的とする。【解決手段】立設する長刃１と、該長刃１の一端と連結すると共に所定角度開いて立設する２枚以上の傾斜刃２とから少なくとも成し、且つ長刃１には外側から所定長さの水平刃先１１を設けると共に該水平刃先１１から中央に向って下がった傾斜刃先１２を設け、傾斜刃２の刃先が中央に向って下がるように配置した構造とする。また長刃１と傾斜刃２の下部を台３に固定すると良く、長刃１の立設面１３の中間部両側に、且つ傾斜刃２の立設面２１の中間部両側に、下方広がりの案内板４を固着させると良い。【選択図】        図１
2004305256.tif 000002
【特許請求の範囲】
【請求項１】
立設する長刃（１）と、該長刃（１）の一端と連結すると共に所定角度開いて立設する２枚以上の傾斜刃（２）とから少なくとも成し、前記長刃（１）には外側から所定長さの水平刃先（１１）を設けると共に該水平刃先（１１）から中央に向って下がった傾斜刃先（１２）を設け、前記傾斜刃（２）の刃先が中央に向って下がるように配置したことを特徴とする薪割り器。
【請求項２】
前記長刃（１）と前記傾斜刃（２）の下部が台（３）に固定された請求項１記載の薪割り器。
【請求項３】
前記長刃（１）の立設面（１３）の中間部両側に、下方広がりの案内板（４）が固着されると共に前記傾斜刃（２）の立設面（２１）の中間部両側に、下方広がりの案内板（４）が固着された請求項１又は２記載の薪割り器。
【請求項４】
前記長刃（１）の立設面（１３）に把手用穴（５）が穿設された請求項１、２又は３記載の薪割り器。
【請求項５】
前記長刃（１）の傾斜刃先（１２）の長さと、前記傾斜刃（２）の刃先長さが同じである請求項１、２、３又は４記載の薪割り器。
【請求項６】
前記長刃（１），前記傾斜刃（２），前記台（３），前記案内板（４）が強化プラスチックで一体に形成され、且つ前記長刃（１）と前記傾斜刃（２）の上部に金属刃が取付けられた請求項３記載の薪割り器。
【発明の詳細な説明】
【０００１】
【発明の属する技術分野】
本発明は丸太を縦割りにして薪にするための薪割り器に関する。
【０００２】
【従来の技術】
一般に人力で丸太を割って薪にする場合、予め伐採された立木や枝を所定長さに切断して丸太或いは細い円柱状にしておき、この丸太を立設させ、斧によって半分に割り、更にそれを半分或いは更にそれをまた半分に縦割りにして所定太さの薪を得ていた。この時、斧で丸太を縦割りにする際、手元がずれて丸太がきれいに半分に割れないことが多くあり、且つ丸太が真中で割れないと斧を振り下ろした時に、斧が丸太からずれ落ちたり、薪が弾き飛ばされたりして危険を伴っていた。又、鉈で太い薪や前記細い円柱状の枝などを縦割りにする際、鉈が食込んでしまうことも多くあり、且つ薪を作る作業は重労働であった。
【０００３】
【発明が解決しようとする課題】
このため丸太を人力で割って薪にする際に安全で且つ楽に作業が行える薪割り器の開発が要望されている。
【０００４】
本発明は斧を使用せず、且つ丸太を乗せた際に安定性があり、座りが良いと共に丸太が一度で複数の薪として得られる薪割り器を提供することを目的とする。
【０００５】
本発明の他の目的は、丸太の座りを良くさせると共に丸太に刃先が切込まれた切溝を大きく押し広げて割れ易くし、且つ刃の食込みが殆どない薪割り器を提供するにある。
【０００６】
【課題を解決するための手段】
本発明は上記要望に応えるために成されたものであり、つまり、立設する長刃と、該長刃の一端と連結すると共に所定角度開いて立設する２枚以上の傾斜刃とから少なくとも成し、且つ長刃には外側から所定長さの水平刃先を設けると共に該水平刃先から中央に向って下がった傾斜刃先を設け、傾斜刃の刃先が中央に向って下がるように配置した構造とする。また長刃と傾斜刃の下部を台に固定すると良く、長刃の立設面の中間部両側に、且つ傾斜刃の立設面の中間部両側に、下方広がりの案内板を固着させると良い。更に長刃の立設面に把手用穴を穿設したり、長刃の傾斜刃先の長さを傾斜刃の刃先長さと同じにさせたりすると良い。一方、長刃，傾斜刃，台，案内板を強化プラスチックで一体に形成させ、且つ長刃と傾斜刃の上部に金属刃を取付ける構造のものとしても良い。
【０００７】
【発明の実施の形態】
図１は本実施形態を示す図であり、この図に基づいて説明する。（１）は立設する金属製の長刃であり、該長刃（１）には外側から所定長さの水平刃先（１１）を上部に設けると共に該水平刃先（１１）から中央に向って下がった傾斜刃先（１２）を設けている（図４参照）。また前記長刃（１）の傾斜刃先（１２）の長さは、後述する傾斜刃（２）の刃先長さと同じにするのが好ましい。尚、前記傾斜刃先（１２）の中央側は、図中の細線の交点から５ｍｍ〜１０ｍｍ下がり、前記長刃（１）の大きさとしては、例えば幅２１５ｍｍ、高さ４００ｍｍ、厚さ９ｍｍの鉄板を用いるのが好ましい。（２）は長刃（１）の傾斜刃先（１２）端部と連結すると共に所定角度、例えば１２０度開いて立設する２枚の傾斜刃であり、該傾斜刃（２）は図３（ａ）に示す２枚のもの以外に、図３（ｂ）に示す３枚のもの、図３（ｃ）のように４枚のもの、図３（ｄ）のように５枚のものなどを使用しても良い。また前記傾斜刃（２）の刃先は傾斜刃先（１２）と同様に中央へ向って下がり（図４参照）、前記傾斜刃（２）の大きさとしては、例えば幅１４０ｍｍ、高さ４００ｍｍ、厚さ９ｍｍの鉄板を用いるのが好ましい。（３）は長刃（１）と傾斜刃（２）の下部を固定する金属製の台であり、該台（３）の形状は円形が好ましいが、四角形や他の形状でも良い。（４）は長刃（１）の立設面（１３）の中間部両側に、且つ傾斜刃（２）の立設面（２１）の中間部両側に、下方広がりの傾斜を付けて固着させた金属製の案内板であり、該案内板（４）は丸太（Ｗ）が切刃によって切込まれた切溝を押し広げるためのものである（図５参照）。尚、前記長刃（１），傾斜刃（２），台（３），案内板（４）は溶接で固定するのが好ましい。（５）は長刃（１）の立設面（１３）に穿設された把手用穴であり、該把手用穴（５）は本発明品を持運ぶ際に用いるものである。尚、前記台（３）や案内板（４）及び把手用穴（５）は必ずしも必要ではない。
【０００８】
図２は本発明の別実施形態を示す図であり、これは前記実施形態と比べると、前記長刃（１），傾斜刃（２），台（３），案内板（４）が強化プラスチックで一体に形成され、且つ前記長刃（１）と前記傾斜刃（２）の上部には金属刃が嵌め込まれて取付けられているコストダウンタイプのものである。
【０００９】
次に本発明の使用方法について説明する。予め本発明品を薪割り作業が行われる場所に配置しておく。先ず丸太（Ｗ）を本発明品の上部に乗せる（図３参照）。この時、丸太（Ｗ）を長刃（１）の傾斜刃先（１２）と２本の傾斜刃（２）上部に乗せると、傾斜刃先（１２）と傾斜刃（２）の中央は図４に示すように凹んでいるため、丸太（Ｗ）が安定する。その後、丸太（Ｗ）の上面へ図５（ａ）に示す白抜き矢印のようにハンマー或いは木槌などを振り下ろす。すると、丸太（Ｗ）の下部に刃先が切込まれて切溝を生じる。更にハンマーなどで叩いて行くと、前記切溝の端部は案内板（４）に当接しながら押し広げられ［図５（ｂ）参照］、丸太（Ｗ）は縦割りにされて複数本の薪となる。この時、傾斜刃（２）が２枚であれば丸太（Ｗ）を３分割し、傾斜刃（２）が３枚であれば丸太（Ｗ）を４分割する。つまり、傾斜刃（２）の枚数によって丸太（Ｗ）は一気に細かく縦割りされて薪になるのである。又、分割された薪が太い時には、図３（ｂ）に示すように長刃（１）の水平刃先（１１）を利用して前記薪（Ｗ’）を２分割すれば良い。従って、本発明品を使用して丸太（Ｗ）を縦割りにして薪を作る場合、斧を使わずにハンマー或いは木槌などを振り下ろすので、丸太（Ｗ）の平らな端面にハンマーなどの平らな打撃面を当てるだけで良く、丸太（Ｗ）に打撃力が加わることにより、丸太（Ｗ）は傾斜刃部の中央に沿って自然に寄るため、丸太（Ｗ）は等分割されるものとなる。また丸太（Ｗ）を縦割りにすると、従来の如き２分割ではなく、３分割以上で且つ太さの揃った薪が得られるため、鉈で従来の如き所定太さの薪に揃える必要が激減するものとなり、薪割り作業が効率よく行えるものとなる。更に火種用として使用する場合には、水平刃先（１１）を利用して薪を更に細かくすることが出来るものとなる。しかも案内板（４）が設けられたものを使用すれば、従来のような刃先が丸太（Ｗ）に食込んで抜けなくなる心配もないものとなる。
【００１０】
【発明の効果】
本発明はこのように構成させたことにより、下記に記載する効果を有する。
【００１１】
請求項１のように立設する長刃（１）と、該長刃（１）の一端と連結すると共に所定角度開いて立設する２枚以上の傾斜刃（２）とから少なくとも成し、長刃（１）には外側から所定長さの水平刃先（１１）を設けると共に該水平刃先（１１）から中央に向って下がった傾斜刃先（１２）を設け、傾斜刃（２）の刃先が中央に向って下がるように配置することにより、丸太（Ｗ）を縦割りにして薪を作る場合、斧を使わないので、作業が安全であり、丸太（Ｗ）が中央の凹んだ刃先の上に乗せられるため、丸太（Ｗ）の座りが良くなり、打撃力を加えることにより丸太（Ｗ）が中央に移動するので、丸太（Ｗ）は刃から逃げず均等の太さに縦割りでき、且つ分割した一片或いは破片を弾き飛ばす心配がないものとなる。更に丸太（Ｗ）が均等の太さで、且つ従来の如き２つに割れるだけではなく、３つ以上に割れた薪が得られるため、薪割り作業が効率よく行えるものとなる。また本発明の長刃（１）には外側から所定長さの水平刃先（１１）が設けられているため、分割された薪が太い場合には、それを水平刃先（１１）で２分割にすることが簡単にでき、且つ水平刃先（１１）で薪を細かくして火種用とすることも可能となり、従来の如き斧と鉈を使い分ける必要がなくなる。
【００１２】
請求項２のように長刃（１）と傾斜刃（２）の下部が台（３）に固定されることにより、地面が固くなくても本発明品は安定して使用出来るものとなる。また本発明品全体が安定するので、丸太（Ｗ）は安定して本発明品の上部に乗せることができ、安全確保が可能なものとなる。
【００１３】
請求項３に示すように長刃（１）の立設面（１３）の中間部両側に、下方広がりの案内板（４）を固着すると共に傾斜刃（２）の立設面（２１）の中間部両側に、下方広がりの案内板（４）を固着させることにより、丸太（Ｗ）に切込まれた切溝を案内板（４）によって更に大きく押し広げ、節があって簡単に割ることが出来る。更に従来のような刃先が丸太（Ｗ）に食込んで抜けなくなる心配もないものとなる。
【００１４】
請求項４に示すように長刃（１）の立設面（１３）に把手用穴（５）を穿設することにより、薪割り器全体を移動する際に、把手用穴（５）へ手を入れて持運べるので便利である。
【００１５】
請求項５のように長刃（１）の傾斜刃先（１２）の長さを、傾斜刃（２）の刃先長さと同じにすることにより、丸太（Ｗ）の太さが傾斜刃（２）の長さであっても安定すると共に座りが良くなり、刃から丸太（Ｗ）が逃げずに均等の太さの薪を得ることが出来るものとなる。また長刃（１）と傾斜刃（２）の交点を目安として丸太（Ｗ）を置けば、丸太（Ｗ）は簡単に略中央へ配置出来るものとなる。
【００１６】
請求項６のように長刃（１），傾斜刃（２），台（３），案内板（４）を強化プラスチックで一体に形成し、且つ長刃（１）と傾斜刃（２）の上部に金属刃を取付けた薪割り器とすることにより、大量生産ができ、安価に提供出来ると共に持運びが軽く便利なものとなるのである。
【図面の簡単な説明】
【図１】本発明の実施形態を示す斜視図である。
【図２】本発明の別実施形態を示す斜視図である。
【図３】本発明の各種の実施形態を示す平面図である。
【図４】丸太が安定して刃先に置かれる状態を示す説明図である。
【図５】本発明の作用を示す説明図である。
【符号の説明】
１  長刃
１１  水平刃先
１２  傾斜刃先
１３  立設面
２  傾斜刃
２１  立設面
３  台
４  案内板
５  把手用穴
【図１】
2004305256.tif 000003
【図２】
2004305256.tif 000004
【図３】
2004305256.tif 000005
【図４】
2004305256.tif 000006
【図５】
2004305256.tif 000007